(57)【要約】      （修正有）【課題】画像を見た被験者の反応に関するデータを照合する装置を提供する。【解決手段】表示画像特定部４３０は、輝度データ３９３毎に、輝度データ３９３に含まれる輝度値に基づいて、輝度データ３９３に含まれる計測時刻に表示されていた刺激画像を表示画像として特定する。表示時間帯特定部４４０は、刺激画像毎に、刺激画像が表示画像として特定された各輝度データに含まれる計測時刻に基づいて、刺激画像が表示されていた表示時間帯を特定する。反応画像特定部４５０は、反応データ３９１毎に、各刺激画像の表示時間帯に基づいて、反応データ３９１に含まれる反応時刻に表示されていた刺激画像を反応画像として特定する。操作画像特定部４６０は、反応データ３９１毎に、反応データ３９１に含まれる反応値と、反応データ３９１に含まれる反応時刻と、反応画像を識別する画像識別子と、を含む評価ファイル４９９を生成する。【選択図】図４
2015159925.tif 000002
【特許請求の範囲】
【請求項１】
複数の輝度データを使用するデータ照合装置であって、
前記複数の輝度データの各輝度データは、複数の画像のうちの表示された画像を判別するために前記画像と共に表示された判別マークの輝度を計測して得られた輝度値と、前記輝度値が計測された計測時刻とを含むデータであり、
輝度データ毎に、前記輝度データに含まれる前記輝度値に基づいて、前記輝度データに含まれる前記計測時刻に表示されていた画像を前記複数の画像から表示画像として特定する表示画像特定部を備える
ことを特徴とするデータ照合装置。
【請求項２】
前記複数の画像の画像毎に、前記画像が前記表示画像として特定された各輝度データに含まれる前記計測時刻に基づいて、前記画像が表示されていた表示時間帯を特定する表示時間帯特定部を備える
ことを特徴とする請求項１に記載のデータ照合装置。
【請求項３】
複数の反応データの各反応データは、画像を見た被験者の反応を計測して得られた反応値と、前記反応値が計測された反応時刻とを含むデータであり、
反応データ毎に、各画像の表示時間帯に基づいて、前記反応データに含まれる前記反応時刻に表示されていた画像を反応画像として特定する反応画像特定部を備える
ことを特徴とする請求項２に記載のデータ照合装置。
【請求項４】
反応データ毎に、前記反応データに含まれる前記反応値と、前記反応データに含まれる前記反応時刻と、前記反応データに含まれる前記反応時刻に表示されていた前記反応画像を識別する画像識別子と、を含む反応照合データを生成する照合データ生成部を備える
ことを特徴とする請求項３に記載のデータ照合装置。
【請求項５】
複数の操作データの各操作データは、入力装置が操作された操作時刻と、操作内容を表す操作値とを含むデータであり、
前記データ照合装置は、操作画像特定部を備え、
前記操作画像特定部は、操作データ毎に、前記複数の画像の各画像の表示時間帯に基づいて、前記操作データに含まれる前記操作時刻に表示されていた画像を操作画像として特定し、
前記照合データ生成部は、操作データ毎に、前記操作データに含まれる前記操作値と、前記操作データに含まれる前記操作時刻と、前記操作データに含まれる前記操作時刻に表示されていた前記操作画像を識別する画像識別子と、を含む操作照合データを生成する
ことを特徴とする請求項４に記載のデータ照合装置。
【請求項６】
複数の操作データの各操作データは、入力装置が操作された操作時刻と、操作内容を表す操作値とを含むデータであり、
操作データ毎に、各画像の表示時間帯に基づいて、前記操作データに含まれる前記操作時刻に表示されていた画像を操作画像として特定する操作画像特定部を備える
ことを特徴とする請求項２に記載のデータ照合装置。
【請求項７】
操作データ毎に、前記操作データに含まれる前記操作値と、前記操作データに含まれる前記操作時刻と、前記操作データに含まれる前記操作時刻に表示されていた前記操作画像を識別する画像識別子と、を含む操作照合データを生成する照合データ生成部を備える
ことを特徴とする請求項６に記載のデータ照合装置。
【請求項８】
前記データ照合装置は、輝度データ選択部を備え、
前記輝度データ選択部は、前記複数の輝度データから選択輝度閾値より大きい輝度値を含んだ輝度データを選択し、
前記表示画像特定部は、前記輝度データ選択部によって選択された輝度データ毎に前記表示画像を特定する
ことを特徴とする請求項１から請求項７のいずれかに記載のデータ照合装置。
【請求項９】
各輝度データに含まれる輝度値は、前記判別マークが表示された画面の前記判別マークが表示された部分の輝度を、フォトトランジスタを用いて、計測して得られた値である
ことを特徴とする請求項１から請求項８のいずれかに記載のデータ照合装置。
【請求項１０】
複数の輝度データを使用するデータ照合プログラムであって、
前記複数の輝度データの各輝度データは、複数の画像のうちの表示された画像を判別するために前記画像と共に表示された判別マークの輝度を計測して得られた輝度値と、前記輝度値が計測された計測時刻とを含むデータであり、
輝度データ毎に、前記輝度データに含まれる前記輝度値に基づいて、前記輝度データに含まれる前記計測時刻に表示されていた画像を前記複数の画像から表示画像として特定する表示画像特定処理を、コンピュータに実行させるためのデータ照合プログラム。
【請求項１１】
画像表示部が、画像毎に前記画像と前記画像を判別する判別マークとを表示し、
計測部が、計測時刻毎に前記計測時刻に表示された前記判別マークの輝度値を計測し、前記計測時刻と前記輝度値とを含む輝度データを生成し、
データ照合部が、輝度データ毎に、前記輝度データに含まれる前記輝度値に基づいて、前記輝度データに含まれる前記計測時刻に表示されていた画像を表示画像として特定する
ことを特徴とするデータ照合方法。
【発明の詳細な説明】
【技術分野】
【０００１】
本発明は、画像を見た被験者の反応に関するデータを照合する技術に関するものである。
【背景技術】
【０００２】
従来、被験者の反応を計測する計測装置は、被験者が反応したタイミングを記録し、被験者の反応時間を計測する（例えば、特許文献１）。
また、反応のタイミングを心電図と照合する方法が提案されている（例えば、特許文献２）。
【０００３】
しかし、従来技術は、以下のような時間を考慮しておらず、高い精度の計測結果が得られない。
例えば、従来技術は、被験者に刺激を与える画面を決定してから画面を表示するまでの時間の遅延（４０ｍ秒〜７０ｍ秒）、および、被験者が入力デバイスを操作してから操作内容がログとして記録されるまでの時間遅延（数ｍ秒）を考慮していない。また、従来技術は、コンピュータ内のスケジューリング等による時間変動（±４０ｍ秒）を考慮していない。
【先行技術文献】
【特許文献】
【０００４】
【特許文献１】特開２００１−１２０５２２号公報
【特許文献２】特開２０００−０６０８２９号公報
【発明の概要】
【発明が解決しようとする課題】
【０００５】
本発明は、ある時刻に表示されていた画像を正確に特定できるようにすることを目的とする。
【課題を解決するための手段】
【０００６】
本発明のデータ照合装置は複数の輝度データを使用する。
前記複数の輝度データの各輝度データは、複数の画像のうちの表示された画像を判別するために前記画像と共に表示された判別マークの輝度を計測して得られた輝度値と、前記輝度値が計測された計測時刻とを含むデータである。
前記データ照合装置は、
輝度データ毎に、前記輝度データに含まれる前記輝度値に基づいて、前記輝度データに含まれる前記計測時刻に表示されていた画像を前記複数の画像から表示画像として特定する表示画像特定部を備える。
【発明の効果】
【０００７】
本発明によれば、各計測時刻に表示されていた画像を正確に特定することができる。
【図面の簡単な説明】
【０００８】
【図１】実施の形態１における反応計測システム１００の構成例を示す図である。
【図２】実施の形態１における刺激発生装置２００の機能構成の一例を示す図である。
【図３】実施の形態１における計測装置３００の機能構成の一例を示す図である。
【図４】実施の形態１における評価装置４００の機能構成の一例を示す図である。
【図５】実施の形態１における反応計測システム１００の反応計測処理の流れを示すフローチャートである。
【図６】実施の形態１における計測画面１１３の概要図である。
【図７】実施の形態１における判別色値データ２９２の一例を示す図である。
【図８】実施の形態１における操作プローブ１４０の一例を示す図である。
【図９】実施の形態１における輝度プローブ１５０の一例を示す図である。
【図１０】実施の形態１における計測画面１１３の遷移の一例を示す図である。
【図１１】実施の形態１における評価装置４００の評価処理（Ｓ２００）の流れを示すフローチャートである。
【図１２】実施の形態１における反応データ３９１の構成例を示す図である。
【図１３】実施の形態１における操作データ３９２の構成例を示す図である。
【図１４】実施の形態１における輝度データ３９３の構成例を示す図である。
【図１５】実施の形態１における輝度データ３９３の折れ線グラフを示す図である。
【図１６】実施の形態１における特定条件データ４９３の一例を示す図である。
【図１７】実施の形態１における評価ファイル４９９の構成例を示す図である。
【図１８】実施の形態１における評価装置４００のハードウェア構成の一例を示す図である。
【図１９】実施の形態２における計測画面１１３の遷移の一例を示す図である。
【図２０】実施の形態２における判別色値データ２９２の一例を示す図である。
【図２１】実施の形態１における特定条件データ４９３の一例を示す図である。
【図２２】実施の形態２における輝度データ３９３の折れ線グラフを示す図である。
【図２３】実施の形態２における輝度データ３９３の折れ線グラフを示す図である。
【図２４】実施の形態２における輝度データ３９３のヒストグラムを示す図である。
【発明を実施するための形態】
【０００９】
実施の形態１．
画像を見た被験者の反応に関するデータを照合するための形態について説明する。
【００１０】
図１は、実施の形態１における反応計測システム１００の構成例を示す図である。
実施の形態１における反応計測システム１００の構成例について、図１に基づいて説明する。
反応計測システム１００は、被験者１０１の反応を計測するためのシステムである。
反応計測システム１００は、刺激発生装置２００（画面表示部の一例）と、計測装置３００（計測部の一例）と、評価装置４００（データ照合装置、データ照合部の一例）とを備える。
【００１１】
刺激発生装置２００は、被験者１０１に刺激を与えるための刺激画像と、刺激画像を判別する判別円（判別マークの一例）と、を含んだ計測画面を表示装置１１０に表示する。
【００１２】
計測装置３００は、被験者１０１に取り付けられた生理反応プローブ１３０から、生理反応（心拍数、血圧値など）を表す反応信号を取得する。そして、計測装置３００は、生理反応を表す反応値と、反応値が計測された反応時刻と、を含む反応データを生成する。つまり、計測装置３００は被験者１０１の生理反応を計測する。ＥＣＧ（Ｅｌｅｃｔｒｏｃａｒｄｉｏｇｒａｍ）、ＥＭＧ（Ｅｌｅｃｔｒｏｍｙｏｇｒａｐｈ）およびＧＳＲ（Ｇａｌｖａｎｉｃ  Ｓｋｉｎ  Ｒｅｓｐｏｎｓｅ）の信号は反応信号の一例である。
計測装置３００は、被験者１０１によって操作される入力装置１２０に取り付けられた操作プローブ１４０から、操作内容（マウスのクリック、キーの押下など）を表す操作信号を取得する。そして、計測装置３００は、操作内容を表す操作値と、入力装置１２０が操作された操作時刻と、を含む操作データを生成する。つまり、計測装置３００は入力装置１２０の操作を検出する。例えば、入力装置１２０はマウスおよびキーボードである。
計測装置３００は、刺激画像と共に表示される判別円の輝度を計測するための輝度プローブ１５０から、判別円の輝度値を表す輝度信号を取得する。そして、計測装置３００は、輝度値と、輝度値が計測された計測時刻と、を含む輝度データを生成する。つまり、計測装置３００は判別円の輝度を計測する。
【００１３】
評価装置４００は、計測装置３００から複数の輝度データと複数の反応データと複数の操作データとを取得する。
評価装置４００は、輝度データ毎に、輝度データに含まれる輝度値に基づいて、輝度データに含まれる計測時刻に表示されていた刺激画像（以下、表示画像という）を特定する。
評価装置４００は、刺激画像毎に、刺激画像が表示画像として特定された各輝度データに含まれる計測時刻に基づいて、刺激画像が表示されていた表示時間帯を特定する。
評価装置４００は、反応データ毎に、各刺激画像の表示時間帯に基づいて、反応データに含まれる反応時刻に表示されていた刺激画像（以下、反応画像という）を特定する。
評価装置４００は、操作データ毎に、各刺激画像の表示時間帯に基づいて、操作データに含まれる操作時刻に表示されていた刺激画像（以下、操作画像という）を特定する。
評価装置４００は、反応データ毎の反応評価データ（反応照合データの一例）と、操作データ毎の操作評価データ（操作照合データの一例）と、を含む評価ファイルを生成する。反応評価データは、反応データに含まれる反応時刻と、反応データに含まれる反応値と、反応画像を識別する画像識別子とを含む。操作評価データは、操作データに含まれる操作時刻と、操作データに含まれる操作値と、操作画像を識別する画像識別子とを含む。
【００１４】
図２は、実施の形態１における刺激発生装置２００の機能構成の一例を示す図である。
実施の形態１における刺激発生装置２００の機能構成の一例について、図２に基づいて説明する。
刺激発生装置２００は、刺激画像選択部２１０と、判別円生成部２２０と、計測画面表示部２３０と、ログ記録部２４０と、発生装置記憶部２９０とを備える。
【００１５】
刺激画像選択部２１０は、画面遷移データ２９３に基づいて、表示する刺激画像の画像データ（以下、刺激画像データ２９１という）を２つの刺激画像データ２９１から選択する。画面遷移データ２９３は、各刺激画像を表示する表示順序を示す。
判別円生成部２２０は、表示する刺激画像用の判別色を識別する判別色値を判別色値データ２９２から選択し、表示する刺激画像用の判別円の画像データ（以下、判別円画像データという）を生成する。表示する刺激画像用の判別円は、表示する刺激画像用の判別色で塗られた円形のマークである。判別色値データ２９２は、刺激画像毎に、刺激画像を識別する画像識別子と、刺激画像用の判別色を識別する判別色値とを含む。
計測画面表示部２３０は、選択された刺激画像データ２９１と生成された判別円画像データとを用いて、刺激画像と判別円とを含んだ計測画面を表示装置１１０に表示する。
ログ記録部２４０は、刺激画像が表示された時刻と、表示された刺激画像を識別する画像識別子と、表示された判別円の色を識別する判別色値と、をログファイル２９９に記録する。
【００１６】
発生装置記憶部２９０は、刺激発生装置２００が使用、生成または入出力するデータを記憶する。
例えば、発生装置記憶部２９０は、刺激画像データ２９１と、判別色値データ２９２と、画面遷移データ２９３と、ログファイル２９９とを記憶する。
【００１７】
図３は、実施の形態１における計測装置３００の機能構成の一例を示す図である。
実施の形態１における計測装置３００の機能構成の一例について、図３に基づいて説明する。
計測装置３００は、計測信号取得部３１０と、計測データ生成部３２０と、計測データ出力部３３０と、計測装置記憶部３９０とを備える。
【００１８】
計測信号取得部３１０は、生理反応プローブ１３０から反応信号を取得し、操作プローブ１４０から操作信号を取得し、輝度プローブ１５０から輝度信号を取得する。
計測データ生成部３２０は、反応信号に基づいて反応データ３９１を生成し、操作信号に基づいて操作データ３９２を生成し、輝度信号に基づいて輝度データ３９３を生成する。
計測データ出力部３３０は、反応データ３９１と、操作データ３９２と、輝度データ３９３と、を評価装置４００に出力する。
【００１９】
計測装置記憶部３９０は、計測装置３００が使用、生成または入出力するデータを記憶する。
例えば、計測装置記憶部３９０は、反応データ３９１と、操作データ３９２と、輝度データ３９３とを記憶する。
【００２０】
図４は、実施の形態１における評価装置４００の機能構成の一例を示す図である。
実施の形態１における評価装置４００の機能構成の一例について、図４に基づいて説明する。
評価装置４００（データ照合装置の一例）は、計測データ取得部４１０と、ローパスフィルタ部４２０（輝度データ選択部の一例）とを備える。
評価装置４００は、表示画像特定部４３０と、表示時間帯特定部４４０と、反応画像特定部４５０と、操作画像特定部４６０と、評価ファイル生成部４７０（照合データ生成部の一例）とを備える。
評価装置４００は、評価装置記憶部４９０を備える。
【００２１】
計測データ取得部４１０は、判別色値データ２９２と、複数の反応データ３９１と、複数の操作データ３９２と、複数の輝度データ３９３とを取得する。
ローパスフィルタ部４２０は、抽出輝度閾値４９１よりも高い輝度値を含む輝度データ３９３を複数の輝度データ３９３から抽出する。高輝度値を含む輝度データ３９３の抽出は、低周波数成分の輝度信号から得られた輝度データ３９３の抽出を意味する。
表示画像特定部４３０は、抽出された輝度データ３９３毎に、輝度データ３９３に含まれる輝度値に基づいて、輝度データ３９３に含まれる計測時刻に表示されていた刺激画像（表示画像）を特定する。
表示時間帯特定部４４０は、刺激画像毎に、刺激画像が表示画像として特定された各輝度データ３９３に含まれる計測時刻に基づいて、刺激画像が表示されていた表示時間帯を特定する。
反応画像特定部４５０は、反応データ３９１毎に、各刺激画像の表示時間帯に基づいて、反応データ３９１に含まれる反応時刻に表示されていた刺激画像（反応画像）を特定する。
操作画像特定部４６０は、操作データ３９２毎に、各刺激画像の表示時間帯に基づいて、操作データ３９２に含まれる操作時刻に表示されていた刺激画像（操作画像）を特定する。
評価ファイル生成部４７０は、反応データ毎の反応評価データと、操作データ毎の操作評価データと、を含む評価ファイル４９９を生成する。
【００２２】
評価装置記憶部４９０は、評価装置４００が使用、生成または入出力するデータを記憶する。
例えば、評価装置記憶部４９０は、複数の反応データ３９１と、複数の操作データ３９２と、複数の輝度データ３９３とを記憶する。また、評価装置記憶部４９０は、抽出輝度閾値４９１（選択輝度閾値の一例）と、特定輝度閾値４９２と、特定条件データ４９３と、評価ファイル４９９（照合データの一例）とを記憶する。特定輝度閾値４９２は表示画像を特定するための閾値であり、特定条件データ４９３は表示画像を特定するための条件を示すデータである。
【００２３】
図５は、実施の形態１における反応計測システム１００の反応計測処理の流れを示すフローチャートである。
実施の形態１における反応計測システム１００の反応計測処理について、図５に基づいて説明する。
【００２４】
Ｓ１１０において、刺激発生装置２００は、以下のように計測画面１１３（図６参照）を表示装置１１０に表示する。
刺激画像選択部２１０は、画面遷移データ２９３に基づいて、表示する刺激画像の刺激画像データ２９１を２つの刺激画像データ２９１から選択する。
判別円生成部２２０は、表示する刺激画像用の判別色を識別する判別色値を判別色値データ２９２（図７参照）から選択し、選択した判別色値に基づいて判別円画像データを生成する。判別円画像データは、表示する刺激画像用の判別色で塗られた判別円１１２（図６参照）の画像データである。
計測画面表示部２３０は、選択された刺激画像データ２９１と生成された判別円画像データとを用いて、刺激画像１１１と判別円１１２とを含んだ計測画面１１３（図６参照）を表示装置１１０に表示する。
Ｓ１１０の後、処理はＳ１２０に進む。
【００２５】
図６は、実施の形態１における計測画面１１３の概要図である。
図６の計測画面１１３は、刺激画像１１１と判別円１１２とを含む。
【００２６】
図７は、実施の形態１における判別色値データ２９２の一例を示す図である。
図７の判別色値データ２９２は、刺激画像１１１毎に、刺激画像１１１を識別する画像識別子と、画像識別子に対応付けた判別色値とを含む。例えば、判別色値はＲＧＢを表す１６進数の値である。
図５に戻り、Ｓ１２０から説明を続ける。
【００２７】
Ｓ１２０において、計測装置３００は、単位時間が経過する毎（定期的）に、以下のように反応データ３９１と操作データ３９２と輝度データ３９３とを生成する。
計測信号取得部３１０は、刺激画像１１１を見た被験者１０１の生理反応を表す反応信号を生理反応プローブ１３０から取得する。計測信号取得部３１０は、被験者１０１による入力装置１２０の操作を表す操作信号を操作プローブ１４０から取得する。さらに、計測信号取得部３１０は、判別円１１２の輝度値を表す輝度信号を輝度プローブ１５０から取得する。計測信号取得部３１０は各信号を増幅するとよい。
計測データ生成部３２０は、反応信号に基づいて反応データ３９１を生成し、操作信号に基づいて操作データ３９２を生成し、輝度信号に基づいて輝度データ３９３を生成する。
Ｓ１２０の後、処理はＳ１３０に進む。
【００２８】
例えば、生理反応プローブ１３０は、被験者１０１に取り付けられた電極パッドおよび信号線である。
【００２９】
図８は、実施の形態１における操作プローブ１４０の一例を示す図である。
実施の形態１における操作プローブ１４０の一例について、図８に基づいて説明する。
計測装置３００は、入力端子（ＩＮＰＵＴ）と接地端子（ＧＮＤ）とを備える。
入力装置１２０は、ＬＳＩ１２１とスイッチ１２２とを備える。
操作プローブ１４０は、抵抗１４１と信号線とを備える。抵抗１４１の一端は信号線を介して入力装置１２０のＬＳＩ１２１に接続し、抵抗１４１の他端は信号線を介して計測装置３００の入力端子に接続する。
被験者１０１が入力装置１２０を操作することによって、入力装置１２０のスイッチ１２２が押下される。スイッチ１２２が押下されている場合、接地端子の電圧（０Ｖ）に応じた操作信号が発生する。一方、スイッチ１２２が押下されていない場合、入力端子の電圧（例えば、＋５Ｖ）に応じた操作信号が発生する。
【００３０】
図９は、実施の形態１における輝度プローブ１５０の一例を示す図である。
実施の形態１における輝度プローブ１５０の一例について、図９に基づいて説明する。
計測装置３００は、出力端子（＋５Ｖ）と、入力端子（ＩＮＰＵＴ）と、接地端子（ＧＮＤ）とを備える。
輝度プローブ１５０は、フォトトランジスタ１５１と抵抗１５２と信号線とを備える。
フォトトランジスタ１５１は、計測画面１１３のうちの判別円１１２（図６参照）が表示される部分に取り付けられる。例えば、フォトトランジスタ１５１は吸盤を用いて計測画面１１３に取り付けられる。
フォトトランジスタ１５１のコレクタは、信号線を介して計測装置３００の出力端子に接続されている。
抵抗１５２の一端は信号線を介して計測装置３００の入力端子に接続し、抵抗１５２の他端は信号線を介してフォトトランジスタ１５１のエミッタに接続する。また、抵抗１５２をフォトトランジスタ１５１に接続する信号線は計測装置３００の接地端子に接続する。
判別円１１２の輝度に応じた電流がフォトトランジスタ１５１のエミッタに流れ、エミッタに流れる電流の大きさに応じた輝度信号が発生する。
図５に戻り、Ｓ１３０から説明を続ける。
【００３１】
Ｓ１３０において、刺激発生装置２００の刺激画像選択部２１０は、画面遷移データ２９３または被験者１０１の操作内容に基づいて、計測画面１１３を遷移するか判定する。
計測画面１１３を遷移する場合（ＹＥＳ）、刺激発生装置２００のログ記録部２４０はログデータをログファイル２９９に記録する。ログデータは、表示している刺激画像１１１の画像識別子と、表示している判別円１１２の判別色値と、刺激画像１１１を表示していた時間帯の情報とを含む。そして、処理はＳ１１０に戻る。Ｓ１１０では、次の計測画面１１３が表示される。次の計測画面１１３は次の刺激画像１１１と次の刺激画像１１１用の判別円１１２とを含む。
計測画面１１３を遷移せずに、計測画面１１３の表示を終了する場合（ＮＯ）、刺激発生装置２００のログ記録部２４０はログデータをログファイル２９９に記録する。そして、処理はＳ２００に進む。
【００３２】
図１０は、実施の形態１における計測画面１１３の遷移の一例を示す図である。
実施の形態１における計測画面１１３の遷移の一例について、図１０に基づいて説明する。
第一の計測画面１１３が第二の計測画面１１３に遷移した場合、第一の刺激画像１１１が第二の刺激画像１１１に遷移し、第一の判別円１１２が第二の判別円１１２に遷移する。第一の判別円１１２は黒丸であり、第二の判別円１１２は白丸である。
図５に戻り、Ｓ２００から説明を続ける。
【００３３】
Ｓ２００において、評価装置４００は、反応データ３９１と操作データ３９２と輝度データ３９３とに基づいて、評価ファイル４９９を生成する。
Ｓ２００の後、反応計測処理は終了する。
【００３４】
図１１は、実施の形態１における評価装置４００の評価処理（Ｓ２００）の流れを示すフローチャートである。
実施の形態１における評価装置４００の評価処理（Ｓ２００）について、図１１に基づいて説明する。
【００３５】
Ｓ２１０において、計測データ取得部４１０は、複数の反応データ３９１と、複数の操作データ３９２と、複数の輝度データ３９３とを計測装置３００から取得する。
Ｓ２１０の後、処理はＳ２２０に進む。
【００３６】
図１２は、実施の形態１における反応データ３９１の構成例を示す図である。
図１２の反応データ３９１は、反応時刻と、反応時刻に対応付けられた反応値とを含む。
【００３７】
図１３は、実施の形態１における操作データ３９２の構成例を示す図である。
図１３の操作データ３９２は、操作時刻と、操作時刻に対応付けられた操作値とを含む。
【００３８】
図１４は、実施の形態１における輝度データ３９３の構成例を示す図である。
図１４の輝度データ３９３は、計測時刻と、計測時刻に対応付けられた輝度値とを含む。
図１１に戻り、Ｓ２２０から説明を続ける。
【００３９】
Ｓ２２０において、ローパスフィルタ部４２０は、Ｓ２１０で取得された複数の反応データ３９１から、抽出輝度閾値４９１よりも高い輝度値を含む輝度データ３９３を抽出する。高輝度値を含む輝度データ３９３の抽出は、低周波数成分の輝度信号から得られた輝度データ３９３の抽出を意味する。
Ｓ２２０の後、処理はＳ２３０に進む。
【００４０】
図１５は、実施の形態１における輝度データ３９３の折れ線グラフを示す図である。
図１５の（１）に示すように、複数の輝度データ３９３には輝度値がゼロに近い輝度データ３９３が含まれる。
そこで、ローパスフィルタ部４２０は、複数の輝度データ３９３から抽出輝度閾値Ｘより高い輝度値を含んだ輝度データ３９３を抽出する。つまり、ローパスフィルタ部４２０は、複数の輝度データ３９３から抽出輝度閾値Ｘより低い輝度値を含んだ輝度データ３９３を除外する。
図１５の（２）に示すように、抽出された各輝度データ３９３には輝度値がゼロに近い輝度データ３９３が含まれない。
図１５の（２）に示すように、各輝度データ３９３に含まれる輝度値を特定輝度閾値Ｙと比較することにより、各刺激画像１１１が表示されていた時間帯を特定することができる。
図１１に戻り、Ｓ２３０から説明を続ける。
【００４１】
Ｓ２３０において、表示画像特定部４３０は、Ｓ２１０で取得された輝度データ３９３毎に、輝度データ３９３に含まれる輝度値に基づいて、輝度データ３９３に含まれる計測時刻に表示されていた刺激画像１１１を特定する。Ｓ２３０で特定される刺激画像１１１を表示画像という。
【００４２】
例えば、表示画像特定部４３０は、輝度データ３９３に対応する表示画像を以下のように特定する。
表示画像特定部４３０は、輝度データ３９３に含まれる輝度値を特定輝度閾値４９２と比較する。
表示画像特定部４３０は、特定条件データ４９３（図１６参照）から比較結果が満たす特定条件を選択し、選択した特定条件に対応付けられた画像識別子を特定条件データ４９３から取得する。
特定条件データ４９３から取得した画像識別子によって識別される刺激画像が輝度データ３９３に対応する表示画像である。
Ｓ２３０の後、処理はＳ２４０に進む。
【００４３】
図１６は、実施の形態１における特定条件データ４９３の一例を示す図である。
図１６の特定条件データ４９３は、刺激画像１１１毎に、刺激画像１１１の画像識別子と、画像識別子に対応付けられた特定条件とを含む。
例えば、輝度データ３９３に含まれる輝度値が特定輝度閾値４９２より低い場合、輝度データ３９３に対応する表示画像は刺激画像Ａである。また、輝度データ３９３に含まれる輝度値が特定輝度閾値４９２より高い場合、輝度データ３９３に対応する表示画像は刺激画像Ｂである。
図１１に戻り、Ｓ２４０から説明を続ける。
【００４４】
Ｓ２４０において、表示時間帯特定部４４０は、刺激画像１１１毎に、刺激画像１１１が表示画像として特定された各輝度データ３９３に含まれる計測時刻に基づいて、刺激画像１１１が表示されていた表示時間帯を特定する。
例えば、表示時間帯特定部４４０は、各輝度データ３９３から最も古い計測時刻と最も新しい計測時刻とを選択する。この最も古い計測時刻から最も新しい計測時刻までの時間帯が表示時間帯である。
Ｓ２４０の後、処理はＳ２５０に進む。
【００４５】
Ｓ２５０において、反応画像特定部４５０は、Ｓ２１０で取得された反応データ３９１毎に、各刺激画像１１１の表示時間帯に基づいて、反応データ３９１に含まれる反応時刻に表示されていた刺激画像１１１を特定する。Ｓ２５０で特定する刺激画像１１１を反応画像という。
例えば、反応画像特定部４５０は、各刺激画像１１１の表示時間帯から反応時刻を含む表示時間帯を選択する。選択した表示時間帯に表示されていた刺激画像１１１が反応画像である。
Ｓ２５０の後、処理はＳ２６０に進む。
【００４６】
Ｓ２６０において、操作画像特定部４６０は、Ｓ２１０で取得された操作データ３９２毎に、各刺激画像１１１の表示時間帯に基づいて、操作データ３９２に含まれる操作時刻に表示されていた刺激画像１１１を特定する。Ｓ２６０で特定する刺激画像１１１を操作画像という。
例えば、反応画像特定部４５０は、各刺激画像１１１の表示時間帯から操作時刻を含む表示時間帯を選択する。選択した表示時間帯に表示されていた刺激画像１１１が操作画像である。
Ｓ２６０の後、処理はＳ２７０に進む。
【００４７】
Ｓ２７０において、評価ファイル生成部４７０は、Ｓ２５０の特定結果と、Ｓ２６０で特定結果とに基づいて、評価ファイル４９９（図１７参照）を生成する。
Ｓ２７０の後、評価処理（Ｓ２００）は終了する。
【００４８】
図１７は、実施の形態１における評価ファイル４９９の構成例を示す図である。
図１７の評価ファイル４９９は、反応評価データと操作評価データとを含む。
反応評価データは、刺激画像１１１の画像識別子に対応付けて、刺激画像１１１が反応画像として特定された各反応データ３９１に含まれる反応時刻と、各反応データ３９１に含まれる反応値とを含む。
操作評価データは、評価ファイル４９９は、刺激画像１１１の画像識別子に対応付けて、刺激画像１１１が操作画像として特定された各操作データ３９２に含まれる操作時刻と、各操作データ３９２に含まれる操作値とを含む。
【００４９】
図１８は、実施の形態１における評価装置４００のハードウェア構成の一例を示す図である。
実施の形態１における評価装置４００のハードウェア構成の一例について、図１８に基づいて説明する。
【００５０】
評価装置４００は、演算装置９０１、補助記憶装置９０２、主記憶装置９０３、通信装置９０４および入出力装置９０５を備えるコンピュータである。
演算装置９０１、補助記憶装置９０２、主記憶装置９０３、通信装置９０４および入出力装置９０５はバス９０９に接続している。
【００５１】
演算装置９０１は、プログラムを実行するＣＰＵ（Ｃｅｎｔｒａｌ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリまたはハードディスク装置である。
主記憶装置９０３は、例えば、ＲＡＭ（Ｒａｎｄｏｍ  Ａｃｃｅｓｓ  Ｍｅｍｏｒｙ）である。
通信装置９０４は、有線または無線でインターネット、ＬＡＮ（ローカルエリアネットワーク）、電話回線網またはその他のネットワークを介して通信を行う。
入出力装置９０５は、例えば、マウス、キーボード、ディスプレイ装置である。
【００５２】
プログラムは、通常は補助記憶装置９０２に記憶されており、主記憶装置９０３にロードされ、演算装置９０１に読み込まれ、演算装置９０１によって実行される。
例えば、オペレーティングシステム（ＯＳ）が補助記憶装置９０２に記憶される。また、「〜部」として説明している機能を実現するプログラムが補助記憶装置９０２に記憶される。そして、ＯＳおよび「〜部」として説明している機能を実現するプログラムは主記憶装置９０３にロードされ、演算装置９０１によって実行される。「〜部」は「〜処理」「〜工程」「〜プログラム」「〜装置」と読み替えることができる。
【００５３】
「〜の判断」、「〜の判定」、「〜の抽出」、「〜の検知」、「〜の設定」、「〜の登録」、「〜の選択」、「〜の生成」、「〜の入力」、「〜の出力」等の処理の結果を示す情報、データ、ファイル、信号値または変数値が主記憶装置９０３または補助記憶装置９０２に記憶される。
【００５４】
刺激発生装置２００および計測装置３００は、評価装置４００と同様のハードウェア構成を備える。
【００５５】
実施の形態１により、被験者１０１が刺激画像１１１から刺激を受けたタイミングと、被験者１０１が入力装置１２０を操作したタイミングと、被験者１０１が生理反応を示したタイミングと、を正確に照合することができる。また、評価ファイル４９９とログファイル２９９とを照合することによって、刺激発生装置２００における時間の遅延および変動を評価することができる。
【００５６】
実施の形態２．
３つ以上の刺激画像１１１が使用される形態について説明する。
以下、実施の形態１と異なる事項について主に説明する。説明を省略する事項については実施の形態１と同様である。
【００５７】
反応計測システム１００の構成は実施の形態１（図１参照）と同様である。
【００５８】
刺激発生装置２００の機能構成は実施の形態１（図２参照）と同様である。
但し、刺激発生装置２００は３つ以上の刺激画像データ２９１を記憶する。また、判別色値データ２９２は３つ以上の判別色値を含む。
【００５９】
図１９は、実施の形態２における計測画面１１３の遷移の一例を示す図である。
図１９において、計測画面１１３に含まれる画像が刺激画像Ａ、刺激画像Ｂ、刺激画像Ｃ、刺激画像Ｄの順番に遷移するに伴い、判別円１１２の色は黒から白へ徐々に遷移する。
【００６０】
図２０は、実施の形態２における判別色値データ２９２の一例を示す図である。
図２０の判別色値データ２９２は、４つの刺激画像１１１の各画像識別子に対応付けて判別色値を含んでいる。つまり、判別色値データ２９２は４つの判別色値を含んでいる。各判別色値は互いに異なる。
【００６１】
計測装置３００の機能構成は実施の形態１（図３参照）と同様である。
【００６２】
評価装置４００の機能構成は実施の形態１（図４参照）と同様である。
但し、評価装置４００は複数の特定輝度閾値４９２を記憶する。また、特定条件データ４９３は３つ以上の特定条件を含む。
【００６３】
図２１は、実施の形態１における特定条件データ４９３の一例を示す図である。
図２１の特定条件データ４９３は、４つの刺激画像１１１の各画像識別子に対応付けて特定条件を含んでいる。つまり、特定条件データ４９３は４つの特定条件を含んでいる。
【００６４】
反応計測システム１００の反応計測処理は実施の形態１（図５参照）と同様である。
【００６５】
評価装置４００の評価処理（Ｓ２００）は実施の形態１（図１１参照）と同様である。
【００６６】
図２２は、実施の形態２における輝度データ３９３の折れ線グラフを示す図である。
図２２の（１）に示すように、複数の輝度データ３９３には輝度値がゼロに近い輝度データ３９３が含まれる。
Ｓ２２０（図１１参照）において、ローパスフィルタ部４２０は、抽出輝度閾値４９１より高い輝度値を含んだ輝度データ３９３を抽出する。
図２２の（２）に示すように、抽出された各輝度データ３９３には輝度値がゼロに近い輝度データ３９３が含まれない。
【００６７】
図２３は、実施の形態２における輝度データ３９３の折れ線グラフを示す図である。
図２３に示すように、各輝度データ３９３に含まれる輝度値を特定輝度閾値Ｌ、Ｍ、Ｎと比較することにより、刺激画像Ａ、Ｂ、Ｃ、Ｄが表示されていた時間帯を特定することができる。
【００６８】
図２４は、実施の形態２における輝度データ３９３のヒストグラムを示す図である。
図２４に示すように、輝度データ３９３のヒストグラムは各輝度データ３９３に含まれる輝度値の頻度を表すことができるが、各刺激画像１１１が表示されていた時間帯を輝度データ３９３のヒストグラムに基づいて特定することは困難である。
【００６９】
実施の形態２により、３つ以上の刺激画像１１１を使用することができる。
【００７０】
各実施の形態は、反応計測システム１００の形態の一例である。
つまり、反応計測システム１００は、各実施の形態で説明した構成要素の一部を備えなくても構わない。また、反応計測システム１００は、各実施の形態で説明していない構成要素を備えても構わない。
例えば、計測装置３００は反応データ３９１と操作データ３９２とのいずれか一方を計測し、評価装置４００は反応データ３９１と操作データ３９２とのいずれか一方と輝度データ３９３とを照合して評価ファイル４９９を生成しても構わない。
【００７１】
各実施の形態において、「〜装置」は一つの装置（筐体）で構成されても構わないし、複数の装置（システム）で構成されても構わない。
また、刺激発生装置２００と計測装置３００と評価装置４００とが１つ又は２つの装置で構成されても構わない。
【００７２】
各実施の形態においてフローチャート等を用いて説明した処理手順は、各実施の形態に係る方法およびプログラムの処理手順の一例である。各実施の形態に係る方法およびプログラムは、各実施の形態で説明した処理手順と一部異なる処理手順で実現されても構わない。
【符号の説明】
【００７３】
１００  反応計測システム、１０１  被験者、１１０  表示装置、１１１  刺激画像、１１２  判別円、１１３  計測画面、１２０  入力装置、１２１  ＬＳＩ、１２２  スイッチ、１３０  生理反応プローブ、１４０  操作プローブ、１４１  抵抗、１５０  輝度プローブ、１５１  フォトトランジスタ、１５２  抵抗、２００  刺激発生装置、２１０  刺激画像選択部、２２０  判別円生成部、２３０  計測画面表示部、２４０  ログ記録部、２９０  発生装置記憶部、２９１  刺激画像データ、２９２  判別色値データ、２９３  画面遷移データ、２９９  ログファイル、３００  計測装置、３１０  計測信号取得部、３２０  計測データ生成部、３３０  計測データ出力部、３９０  計測装置記憶部、３９１  反応データ、３９２  操作データ、３９３  輝度データ、４００  評価装置、４１０  計測データ取得部、４２０  ローパスフィルタ部、４３０  表示画像特定部、４４０  表示時間帯特定部、４５０  反応画像特定部、４６０  操作画像特定部、４７０  評価ファイル生成部、４９０  評価装置記憶部、４９１  抽出輝度閾値、４９２  特定輝度閾値、４９３  特定条件データ、４９９  評価ファイル、９０１  演算装置、９０２  補助記憶装置、９０３  主記憶装置、９０４  通信装置、９０５  入出力装置、９０９  バス。
【図１】
2015159925.tif 000003
【図２】
2015159925.tif 000004
【図３】
2015159925.tif 000005
【図４】
2015159925.tif 000006
【図５】
2015159925.tif 000007
【図６】
2015159925.tif 000008
【図７】
2015159925.tif 000009
【図８】
2015159925.tif 000010
【図９】
2015159925.tif 000011
【図１０】
2015159925.tif 000012
【図１１】
2015159925.tif 000013
【図１２】
2015159925.tif 000014
【図１３】
2015159925.tif 000015
【図１４】
2015159925.tif 000016
【図１５】
2015159925.tif 000017
【図１６】
2015159925.tif 000018
【図１７】
2015159925.tif 000019
【図１８】
2015159925.tif 000020
【図１９】
2015159925.tif 000021
【図２０】
2015159925.tif 000022
【図２１】
2015159925.tif 000023
【図２２】
2015159925.tif 000024
【図２３】
2015159925.tif 000025
【図２４】
2015159925.tif 000026